(57)【要約】【課題】冷却効率が高く、且つ冷媒の取り替えが容易なパラフィンブロック冷却具を提供する。【解決手段】平板状のパラフィンブロック載置部２と、上面が開放された容器状の蓄冷剤収容部３とからなり、前記パラフィンブロック載置部２を前記蓄冷剤収容部３の上面に着脱自在に取り付けるとともに、該蓄冷剤収容部３に容器又は袋内に充填された蓄冷剤１１を収容したことを特徴とするパラフィンブロック冷却具である。【選択図】図２
2007225304.tif 000002
【特許請求の範囲】
【請求項１】
平板状のパラフィンブロック載置部と、上面が開放された容器状の蓄冷剤収容部とからなり、前記パラフィンブロック載置部を前記蓄冷剤収容部の上面に取り付けるとともに、該蓄冷剤収容部に容器又は袋内に充填された蓄冷剤を収容したことを特徴とするパラフィンブロック冷却具。
【請求項２】
パラフィンブロック載置部が、平板部の周辺に段差部を介して縁部を備え、蓄冷剤収容部が収容部の周辺に、前記パラフィンブロック載置部の段差部及び縁部と重合するように、段差部を介して縁部を備えたことを特徴とする請求項１記載のパラフィンブロック冷却具。
【請求項３】
パラフィンブロック載置部を蓄冷剤収容部の上面に着脱自在に取り付けてなることを特徴とする請求項１又は２記載のパラフィンブロック冷却具。
【請求項４】
パラフィンブロック載置部と蓄冷剤収容部とが両面粘着テープにより取り付けられていることを特徴とする請求項３記載のパラフィンブロック冷却具。
【請求項５】
パラフィンブロック載置部と蓄冷剤収容部とが緊締手段により取り付けられていることを特徴とする請求項３記載のパラフィンブロック冷却具。
【請求項６】
パラフィンブロック載置部と蓄冷剤収容部とがヒンジと緊締手段により取り付けられていることを特徴とする請求項３記載のパラフィンブロック冷却具。
【請求項７】
パラフィンブロック載置部の表面、又は、蓄冷剤収容部内の容器又は袋内に充填された蓄冷剤の表面に、金属板を配設したことを特徴とする請求項１〜６のいずれか１項に記載のパラフィンブロック冷却具。
【請求項８】
容器又は袋内に充填された蓄冷剤の下部にクッション材が配設されていることを特徴とする請求項１〜７のいずれか１項に記載のパラフィンブロック冷却具。
【請求項９】
パラフィンブロック載置部にカバーが設けられていることを特徴とする請求項１〜８のいずれか１項に記載のパラフィンブロック冷却具。
【請求項１０】
カバーの内側に容器又は袋内に充填された蓄冷剤が備えられていることを特徴とする請求項１〜９のいずれか１項に記載のパラフィンブロック冷却具。
【請求項１１】
パラフィンブロック載置部が金属からなることを特徴とする請求項１〜１０のいずれか１項に記載のパラフィンブロック冷却具。
【請求項１２】
蓄冷剤収容部が樹脂からなることを特徴とする請求項１〜１１のいずれか１項に記載のパラフィンブロック冷却具。
【請求項１３】
カバーが樹脂からなることを特徴とする請求項９〜１２のいずれか１項に記載のパラフィンブロック冷却具。
【発明の詳細な説明】
【技術分野】
【０００１】
本発明は、検体をパラフィンで包埋したパラフィンブロック冷却具に関し、更に詳しくは、冷却効率が高く、容易に冷媒の取り替えが可能なパラフィンブロック冷却具に関する。
【背景技術】
【０００２】
従来、医療検査用顕微鏡標本を作製するには、図８に示すように、検体２１を包埋したパラフィン２２がカセット２３の底部に付着してなるカセットブロック２４をミクロトーム２５上に裏返して載せて固定し、パラフィン２２の検体２１を包埋した部分を矢示ａ方向にスライスして薄切片を得、染色、その他の所定の処理を施すことにより顕微鏡標本を得ている（特許文献１参照）。
【０００３】
しかしながら、上記の如くスライスして薄切片を得る場合、検体を包埋するパラフィンが十分に冷却され固形状を保持していることが必要で、十分に固形状を保持していない場合には目的とする薄切片を得ることができない。
【０００４】
薄切時において、検体を包埋するパラフィンを固形状に保持するために、例えば、ステンレス製の中空プレート内に液状の冷媒を充填した冷却プレートが実用化されている。
【特許文献１】特開２００１−３２４４２８号公報（図１５）
【発明の開示】
【発明が解決しようとする課題】
【０００５】
しかしながら、液状の冷媒を直接中空プレート内に充填した冷却プレートは、取り扱いが容易でなく、例えば、冷媒の洩れに対する処置や、また、冷媒の取り替え時に零れて周囲を汚染したり、面倒な問題を包含している。
【０００６】
また、液状の冷媒は熱伝導性の良好なステンレス製の中空プレート内に充填されているため、カセットブロックの冷却には関与しない下面や側面からの冷気の逸散が大きく、冷気の利用効率は半分以下となる。
【０００７】
本発明はかかる実情に鑑み、上記従来技術の問題点を解決し、取り扱いが容易で、冷媒の取り替え時に零れて周囲を汚染したりすることがなく、また冷気の利用効率を改善したパラフィンブロック冷却具を提供するものである。
【課題を解決するための手段】
【０００８】
本発明は上記目的を達成するために示されたもので、本発明の請求項１は、平板状のパラフィンブロック載置部と、上面が開放された容器状の蓄冷剤収容部とからなり、前記パラフィンブロック載置部を前記蓄冷剤収容部の上面に取り付けるとともに、該蓄冷剤収容部に容器又は袋内に充填された蓄冷剤を収容したことを特徴とするパラフィンブロック冷却具を内容とする。
【０００９】
本発明の請求項２は、パラフィンブロック載置部が、平板部の周辺に段差部を介して縁部を備え、蓄冷剤収容部が収容部の周辺に、前記パラフィンブロック載置部の段差部及び縁部と重合するように、段差部を介して縁部を備えたことを特徴とする請求項１記載のパラフィンブロック冷却具を内容とする。
【００１０】
本発明の請求項３は、パラフィンブロック載置部を蓄冷剤収容部の上面に着脱自在に取り付けてなることを特徴とする請求項１又は２記載のパラフィンブロック冷却具を内容とする。
【００１１】
本発明の請求項４は、パラフィンブロック載置部と蓄冷剤収容部とが両面粘着テープにより取り付けられていることを特徴とする請求項３記載のパラフィンブロック冷却具を内容とする。
【００１２】
本発明の請求項５は、パラフィンブロック載置部と蓄冷剤収容部とが緊締手段により取り付けられていることを特徴とする請求項３記載のパラフィンブロック冷却具を内容とする。
【００１３】
本発明の請求項６は、パラフィンブロック載置部と蓄冷剤収容部とがヒンジと緊締手段により取り付けられていることを特徴とする請求項３記載のパラフィンブロック冷却具を内容とする。
【００１４】
本発明の請求項７は、パラフィンブロック載置部の表面、又は、蓄冷剤収容部内の容器又は袋内に充填された蓄冷剤の表面に金属板を配設したことを特徴とする請求項１〜６のいずれか１項に記載のパラフィンブロック冷却具を内容とする。
【００１５】
本発明の請求項８は、容器又は袋内に充填された蓄冷剤の下部にクッション材が配設されていることを特徴とする請求項１〜７のいずれか１項に記載のパラフィンブロック冷却具を内容とする。
【００１６】
本発明の請求項９は、パラフィンブロック載置部にカバーが設けられていることを特徴とする請求項１〜８のいずれか１項に記載のパラフィンブロック冷却具を内容とする。
【００１７】
本発明の請求項１０は、カバーの内側に容器又は袋内に充填された蓄冷剤が備えられていることを特徴とする請求項１〜９のいずれか１項に記載のパラフィンブロック冷却具を内容とする。
【００１８】
本発明の請求項１１は、パラフィンブロック載置部が金属からなることを特徴とする請求項１〜１０のいずれか１項に記載のパラフィンブロック冷却具を内容とする。
【００１９】
本発明の請求項１２は、蓄冷剤収容部が樹脂からなることを特徴とする請求項１〜１１のいずれか１項に記載のパラフィンブロック冷却具を内容とする。
【００２０】
本発明の請求項１３は、カバーが樹脂からなることを特徴とする請求項９〜１２のいずれか１項に記載のパラフィンブロック冷却具を内容とする。
【発明の効果】
【００２１】
本発明は、冷媒として、容器又は袋内に充填された蓄冷剤を使用したので取り扱いが簡単で、取り替えの際に零れて周囲を汚染するようなトラブルが防止される。また、パラフィンブロック載置部を蓄冷剤収容部の上面に着脱自在に取り付けた場合は、必要に応じ、例えば２個の蓄冷剤を準備することにより、一の蓄冷剤の冷却能力が低下した場合には、即座に他の蓄冷剤に取り替えることもできる。
【００２２】
また、パラフィンブロック載置部が、平板部の周辺に段差部を介して縁部を備え、蓄冷剤収容部が収容部の周辺に、前記パラフィンブロック載置部の段差部及び縁部と重合するように、段差部を介して縁部を備えることにより、段差部がパラフィンブロックをパラフィンブロック載置部内に保持し、また重合部を接着、融着したり、着脱自在に係止することができる。また、必要に応じ重合部にシール材を介装し、冷気の逸散を防ぐこともできる。
【００２３】
また、パラフィンブロック載置部を蓄冷剤収容部の上面に着脱自在に取付けることにより、上記蓄冷剤の取り替えを容易に行うことができる。
【００２４】
また、パラフィンブロック載置部と蓄冷剤収容部とを着脱自在に取り付けるには、両面粘着テープ、クランプやクリップ、ヒンジとクランプやクリップ等の緊締手段が、構造簡単で、取り扱いが容易である点で好ましい。
また、パラフィンブロック載置部の表面に、ステンレス等の金属板を配設することにより、過冷却をコントロールすることができ、また、蓄冷剤収容部内の蓄冷剤の表面に該金属板を配設することにより、蓄冷剤の表面の凹凸が生じた場合でも、該凹凸がパラフィンブロック載置部の凹凸として表れ、パラフィンブロックを載置し難くするというトラブルを防ぐことができる。
【００２５】
また、容器又は袋内に充填された蓄冷剤の下部にクッション材を配することにより、クッション材の弾発力により蓄冷剤をパラフィンブロック載置部（裏面）に押しつけ密着させることができるので、冷気の伝導効率が向上する。
【００２６】
また、パラフィンブロック載置部にカバーを設けることにより、冷気を該載置部内に封じ込めることができるので、冷気の逸散が防止される。
【００２７】
また、上記カバーの内側に容器又は袋内に充填された蓄冷剤を配設すると、パラフィンブロック載置部の冷却能力は一層向上する。
【００２８】
また、パラフィンブロック載置部を熱伝導性の良好な金属製とし、蓄冷剤収容部を熱伝導性の不良な樹脂製とすることにより、パラフィンブロックの冷却に関与しない蓄冷剤収容部の底面や側面からの冷気の逸散が防止されるので、冷気はパラフィンブロック載置部の冷却に向かうことになり、その結果、パラフィンブロック載置部の冷却効率が向上する。
【００２９】
また、上記したパラフィンブロック載置部のカバーも熱不良導体の樹脂製とすれば、カバーからの冷気の逸散が抑制され、冷気の利用効率が向上する。
【発明を実施するための最良の形態】
【００３０】
本発明のパラフィンブロック冷却具は、平板状のパラフィンブロック載置部と、上面が開放された容器状の蓄冷剤収容部とからなり、前記パラフィンブロック載置部を前記蓄冷剤収容部の上面に取り付けるとともに、該蓄冷剤収容部に容器又は袋内に充填された蓄冷剤を収容したことを特徴とする。
尚、本発明において、パラフィンブロックとは、上記したカセットブロックの他に、包埋リングに、検体を包埋したパラフィンを付着させたもの等、基台に検体を包埋したパラフィンを付着させたものを包含する。
【００３１】
平板状のパラフィンブロック載置部は、パラフィンブロックのパラフィン部分が該載置面に接するように載置されるもので、ステンレス、銅、アルミ等の金属、ポリスチレン系樹脂、ポリエチレン、ポリプロピレン等のポリオレフィン系樹脂、ポリ塩化ビニル樹脂、ポリエステル樹脂、ポリアミド樹脂等の合成樹脂、その他のいずれでもよいが、下部の蓄冷剤収容部からの冷気を良く伝える点で、熱の良導体である金属が好ましい。
【００３２】
容器状の蓄冷剤収容部は、容器又は袋内に充填された蓄冷剤を収容し、その冷気を上記パラフィンブロック載置部に伝えるもので、金属、樹脂等のいずれでもよいが、該蓄冷剤収容部からの冷気の逸散を防ぎ、冷気を効率的にパラフィンブロック載置部に伝える点で、熱の不良導体である上記したような合成樹脂が好ましい。
【００３３】
パラフィンブロック載置部は、蓄冷剤収容部の開放された上面に接着、融着等により取り付けてもよいが、蓄冷剤の取り替えを容易にするためには、着脱自在に取り付けるのが好ましい。着脱自在の取り付け方法は特に制限されないが、両面粘着テープ、クランプやクリップ、ヒンジとクランプやクリップ等の緊締手段を用いる方法が好ましく、なかでも両面粘着テープはシール材の役目も兼ね、パラフィンブロック載置部と蓄冷剤収容部との取り付け部の隙間を封じ、冷気の逸散を防止するので好ましい。クランプやクリップ、ヒンジとクランプやクリップを使用する場合は、シール材を介在させるのが好ましい。
【００３４】
上記のような取り付け方法で取り付けるには、パラフィンブロック載置部が、平板部の周辺に段差部を介して縁部を備え、蓄冷剤収容部が収容部の周辺に、前記パラフィンブロック載置部の段差部及び縁部と重合するように、段差部を介して縁部を備えた形状から構成されていることが好ましい。即ち、このような形状からなることにより、段差部がパラフィンブロックをパラフィンブロック載置部内に保持するための柵の役割をし、また、重合部の段差部の間又は縁部の間に、両面粘着テープを介装して着脱自在に取り付けたり、また、シール材を介装してクランプやクリップ、ヒンジとクランプやクリップ等で容易に挟み付けることにより着脱自在に取り付けることができる。また、接着剤で接着する場合には、重合部の段差部の間又は縁部の間に接着剤を塗布すればよい。
【００３５】
平板部はパラフィンブロックを載置するもので、その大きさは特に制限されないが、パラフィンブロック（カセットブロック、包埋リングブロック）が１０〜３０個程度載せることができる大きさが好ましい。段差部は余り高くなると載置部からパラフィンブロックを取り出す際に支障となるので５〜２０ｍｍ程度の高さが好ましく、また縁部は両面粘着テープやシール材の介装性、クランプ、クリップや、ヒンジとクランプやクリップの装着性の点から５〜２０ｍｍ程度の巾が好ましい。
【００３６】
蓄冷剤収容部に収容される容器又は袋内に充填される蓄冷剤としては、従来の蓄冷剤や保冷剤が用いられ、例えば、水、ブライン、メタノール、エチレングリコール、プロピレングリコール、硝酸／塩化アンモニウム、氷、ドライアイス等が挙げられ、これらを容器又は袋内に充填して使用される。容器の素材としてはステンレス等の金属の他、ポリエチレン、ポリプロピレン、ポリ塩化ビニル、ポリアミド、ポリエステル等の樹脂が挙げられ、また、袋の素材もこれらの樹脂からなるものが用いられる。更に、アイスノン（登録商標）も好適に用いることができる。
【００３７】
容器又は袋内に充填された蓄冷剤とパラフィンブロック載置部（の裏面）とは、伝熱効率の点からできるだけ密着しているのが好ましい。このためには、例えば、容器又は袋内に充填された蓄冷剤の下部にクッション材を配設して、クッション材の弾発力を利用して蓄冷剤を上方に押し上げパラフィンブロック載置部と密着させることが好ましい。このようなクッション剤としては、ポリウレタン、発泡ポリエチレン、ゴム、板バネ、コイルバネ等が挙げられるが、断熱性にも優れ、蓄冷剤収容部の底面からの冷気の逸散を防止する点でポリウレタン、発泡ポリエチレンやゴムが好ましい。
【００３８】
更に、パラフィンブロック載置部にカバーを設け、パラフィンブロック載置部内の冷気が外部に逸散しないようにすることは好ましい態様である。カバーは単なる載置型でもよいし、ヒンジにより開閉自在としてもよい。この場合、カバーも熱の不良導体である合成樹脂製とするのが好ましい。
【００３９】
本発明のパラフィンブロック冷却具は、通常、パラフィンブロック載置部に所定のパラフィンブロックを載置した状態で冷凍庫や冷蔵庫で冷却されるが、必要に応じ、パラフィンブロック冷却具のみを冷却した後、パラフィンブロックを載置することもできる。
【実施例】
【００４０】
以下、実施例を挙げて本発明を更に詳細に説明するが、本発明はかかる実施例のみに制限されないことは云うまでもない。
【００４１】
実施例１
本実施例のパラフィンブロック冷却具１は、図１、図２に示すように、パラフィンブロック載置部２と蓄冷剤収容部３とからなり、パラフィンブロック載置部２はステンレススチールからなり、平板部４とその周辺に段差部５を介して縁部６を備え、一方、蓄冷剤収容部３はポリプロピレンからなり、底面７と側面８とからなる上面が開放された容器状からなり、前記パラフィンブロック載置部２の段差部５と縁部６と重なり合う段差部９と縁部１０とから構成されている。蓄冷剤収容部３には容器又は袋内に充填された蓄冷剤（アイスノン  登録商標）１１が収容され、パラフィンブロック載置部２と蓄冷剤収容部３とは、縁部６と縁部１０との間に介装された両面粘着テープ１２により着脱自在に取り付けられている。
【００４２】
パラフィンブロック載置部２（平板部４）には、パラフィンブロック（図では、カセットブロック）１３がパラフィン部１３ａを載置部２の方に向けて載置されている。
【００４３】
かくして、蓄冷剤収容部３の蓄冷剤１１によりパラフィンブロック載置部２が冷却され、該載置部２を通じてパラフィンブロック１３のパラフィン部１３ａが冷却され固形状に保持された状態で、ミクロトームでの薄切に供される。
【００４４】
蓄冷剤１１の冷却能力が低下した場合は、パラフィンブロック載置部２を蓄冷剤収容部３より剥がし取り、該収容部３内の蓄冷剤１１を別の蓄冷剤と取り替えた後、再びパラフィンブロック載置部２を蓄冷剤収容部３に取り付けることができる。
【００４５】
実施例２
本実施例のパラフィンブロック冷却具１は、図３に示すように、蓄冷剤１１の下部にクッション材（ポリウレタン）１４を配設するとともに、パラフィンブロック載置部２の縁部６と蓄冷剤収容部３の縁部１０との間にシール材（ゴム）１５を介装し、クリップ１６で止着した他は実施例１と同様である。
【００４６】
本実施例のパラフィンブロック冷却具１は、図３に示すように、クッション材１４がその弾発力により蓄冷剤１１を上方に押し上げてパラフィンブロック載置部２に密着させるので蓄冷剤１１の冷気のパラフィンブロック載置部２への伝達効率が良好で、また、縁部６、１０間にシール材１５が介装されているので、冷気の蓄冷剤収容部３からの逸散が防止される。更に、蓄冷剤１１の冷却能力が低下した場合は、クリップ１６を外して蓄冷剤１１を容易に取り替えることができる。
【００４７】
実施例３
本実施例のパラフィンブロック冷却具１は、図４に示すように、クリップ１６の代わりに、ヒンジ１７とクリップ１６を用いるとともに、更に、パラフィンブロック載置部２にヒンジ１７によりポリプロピレン製のカバー１８を設けた他は実施例２と同様である。
【００４８】
本実施例のパラフィンブロック冷却具１は、パラフィンブロック載置部２に合成樹脂製のカバー１８を設けたのでパラフィンブロック載置部２の冷気を封じ込めて冷気の逸散を防ぎ、冷却効率を高め冷却時間を長くすることができる。
【００４９】
実施例４
本実施例のパラフィンブロック冷却具１は、図５に示すように、カバー１８の内側に容器又は袋内に充填された蓄冷剤１９を設けた他は実施例３と同様である。
本実施例では、蓄冷剤１９はカバー１８の内側にＬ字状及び逆Ｔ字状の支持部２０により取り付けられており、パラフィンブロック載置部２に載置されたパラフィンブロック１３を一層効率的に冷却することができる。この蓄冷剤１９も冷却能力が低下した場合には容易に取り替えることができる。
【００５０】
実施例５
本実施例のパラフィンブロック冷却具１は、図６に示すように、パラフィンブロック載置部２の平板部４の表面に金属板（ステンレス等）９を配設した他は実施例１と同様である。
このように構成することにより、蓄冷剤１１からの余分な冷気は金属板９に吸収され、パラフィンブロック１３の過冷却が防止される。
【００５１】
実施例６
本実施例のパラフィンブロック冷却具１は、図７に示すように、蓄冷剤収容部３内の蓄冷剤１１の表面に金属板（ステンレス等）９を配設した他は実施例１と同様である。
このように構成することにより、図示するように、蓄冷剤１１の表面に凹凸１１ａが生じても、この凹凸１１ａがパラフィンブロック載置部２に表れパラフィンブロック１３を載置し難くするというトラブルを該金属板９が防止する。
【産業上の利用可能性】
【００５２】
叙上のとおり、本発明によれば、冷却効率が高く、且つ冷媒の取り替えが容易なパラフィンブロック冷却具を提供することができる。
【図面の簡単な説明】
【００５３】
【図１】本発明の実施例を示す斜視図である。
【図２】図１のＡ−Ａ断面図である。
【図３】本発明の他の実施例を示す断面図である。
【図４】本発明の他の実施例を示す断面図である。
【図５】本発明の他の実施例を示す断面図である。
【図６】本発明の他の実施例を示す断面図である。
【図７】本発明の他の実施例を示す断面図である。
【図８】カセットブロックをミクロトームで薄切する状態を示す概略図である。
【符号の説明】
【００５４】
１  パラフィンブロック冷却具
２  パラフィンブロック載置部
３  蓄冷剤収容部
４  平板部
５、９  段差部
６、１０  縁部
７  底面
８  側面
９  金属板
１１、１９  容器又は袋内に充填された蓄冷剤
１１ａ  蓄冷剤の凹凸
１２  両面粘着テープ
１３  パラフィンブロック
１３ａ  パラフィン部
１４  クッション材
１５  シール材
１６  グリップ
１７  ヒンジ
１８  カバー
２０  支持部
２１  検体
２２  パラフィン
２３  カセット
２４  カセットブロック
２５  ミクロトーム
【図１】
2007225304.tif 000003
【図２】
2007225304.tif 000004
【図３】
2007225304.tif 000005
【図４】
2007225304.tif 000006
【図５】
2007225304.tif 000007
【図６】
2007225304.tif 000008
【図７】
2007225304.tif 000009
【図８】
2007225304.tif 000010